(57)【要約】【課題】簡略な構造で荷物、特に折り畳んだ状態の数枚のダンボール箱を持ち運ぶのに好適な持ち運び紐を提供する。【解決手段】環状の支持紐２の両端部に二重の掛止部４を設けた構成とし、好ましくは、上記構成に加えて、支持紐２を結合部５で結合させ結合部５に対して対称形状の右左環部６、７を設けて環状の支持紐２となした構成を有し、環状の支持紐２の中央部と両端部との間の中間部に支持紐２を架け渡す連結紐８を設けた構成とする。【選択図】　　図３
2004115043.tif 000002
【特許請求の範囲】
【請求項１】
荷物を吊下げ持ち運ぶための持ち運び紐であって、環状の支持紐の両端部に二重の掛止部を設けた構成を有する持ち運び紐。
【請求項２】
支持紐を結合部で結合させ、結合部に対して対称形状の左右環部を設けて環状の支持紐となした構成を有する請求項１に記載の持ち運び紐。
【請求項３】
環状の支持紐の中央部と両端部との間の中間部に支持紐を架け渡す連結紐を設けた構成を有する請求項１又は２に記載の持ち運び紐。
【発明の詳細な説明】
【０００１】
【発明の属する技術分野】
本発明は、荷物、例えば数枚の折り畳み状態のダンボール箱を吊下げ持ち運ぶのに適した持ち運び紐に関する。
【０００２】
【従来の技術】
従来の持ち運び紐は、多数の紐を網目状に結び荷物を包装して持ち運べるようにしたものである。（例えば、実用新案文献１又は特許文献１）
【０００３】
【実用新案文献１】
実開平７−１３７５４号公報
【特許文献１】
特開平１１−４９２２３号公報
【０００４】
【発明が解決しようとする課題】
運送業などでは、折り畳んだダンボール箱を数枚重ねて持ち運ぶことが多々あり、そのような場合、上記のような多数の紐を結びつけた複雑な構造の持ち運び紐では、紐を結ぼうとする際にダンボール箱がばらけてしまい、作業に手間取ることがあり、また折り畳んだダンボール箱を片付けるためには強固に紐を結ぶ必要はなく、複雑な構造にする必要もなかった。
【０００５】
本発明は、上記課題に鑑み、簡略な構造で荷物、特に数枚の折り畳んだダンボール箱を持ち運ぶのに好適な持ち運び紐を提供する。
【０００６】
【課題を解決するための手段】
本発明は、荷物を吊下げ持ち運ぶための持ち運び紐であって、環状の支持紐の両端部に二重の掛止部を設けた構成を有する持ち運び紐とした。
このようにすることにより、略直方体形状の荷物、例えば折り畳んだダンボール箱を重ね合せたものの長辺を底辺として立てかけ、その下端の両角部の両側辺部に両掛止部を引っ掛けるようにしつつ、支持紐を上方に持ち上げることにより、荷物を持ち運ぶことができる。
【０００７】
支持紐を結合部で結合させ、結合部に対して対称形状の左右環部を設けて環状の支持紐とした構成とすれば、前記のように使用する場合には、結合部が両支持輪部の中央部に位置するのでその部位を目印として持ち上げればよく、結合部が肩掛け部ともなり、また、別の方法として、略立方体形状の荷物に対して、荷物の底面の中央付近に結合部が位置するようにし、結合部から十字状に支持紐を底面に沿わせて、それぞれの支持紐を各側面に沿い立ち上げ荷物を包装するようにすれば、容易に荷物を持ち運ぶことができる。
【０００８】
好ましくは、環状の支持紐の中央部と両端部との間の中間部に支持紐を架け渡す連結紐を設ける構成とすれば、略直方体形状の荷物を持ち運ぶ際、支持紐が連結紐にて荷物両肩部に掛止できるので支持紐を荷物から外れにくくすることができる。
【０００９】
【発明の実施の形態】
以下に、図面を用いて本発明の一実施例を説明する。
図１は、本発明の一実施例の持ち運び紐の斜視図、図２は、図１の持ち運び紐の掛止部の拡大斜視図、図３は、図１の持ち運び紐の一使用方法を示した斜視図、図４は、連結紐の拡大図、図５は、図１の持ち運び紐の他の使用方法を示した斜視図である。
【００１０】
本発明の持ち運び紐１は、図１に示すように、環状の支持紐２の対向両端部の支持輪部３を二重として掛止部４とするとともに、支持紐２の中央部を結合して結合部５とし、結合部５に対して左環部６と右環部７が対称となるように構成されている。
【００１１】
支持紐２は、適宜長さとし、好ましくは、左右環部６、７を直線状に伸ばした際に、結合部５から左右環部６、７の各先端までが、人の肩から膝下方に至るに十分な長さとする。
支持紐２は、１本の紐で形成する他、左環部６及び右環部７を別々の紐として結合部５で結合するようにしてもよい。
【００１２】
各支持輪部３には、それぞれ若干長さの支持輪紐８の両端を支持紐２の内方の連結点８ａ、８ｂに縫製、接着などにより固着して、それぞれ二重の掛止部４として形成する。掛止部４の大きさは、図２に示すように、略直方体形状の荷物Ａの下端角部９が二重の掛止部４に嵌まるような任意な大きさとする。また、支持輪紐７を支持紐２に連結する際は、内方ではなく外方に固着してもよい。
【００１３】
結合部５は、環状の支持紐２を直線状に伸ばした状態の中央部の両支持紐２部分を縫製、接着などにより固着させて設ける。
本発明の他の一実施例としては、上記構成の他、結合部５を設けない構成の持ち運び紐１としてもよい。
【００１４】
以下に、本発明の持ち運び紐１の使用方法を説明する。
図３に示すように、左環部６側の支持輪部３を、略直方体形状の荷物Ｂの左下端角部１１寄りの底面１０に沿わせ、その両側を表面１２及び裏面１３に沿い立ち上がらせる。また、支持輪紐８を、連結点８ａから表面１２、左端面１４、裏面１３に沿い連結点８ｂに到達させ、下端角部１１の両側辺部に左環部６の二重の掛止部４を引っ掛ける。右環部７側の二重の掛止部４も同様に右下端角部１５の両側辺部に引っ掛かるようにする。そして結合部５（結合部５を設けていない場合は、支持紐２の中央部）を持ち上げることにより、両掛止部４が持ち上げられて左右下端角部１１、１５に引っ掛かり、荷物Ｂが持ち上がることとなる。この際、支持紐２の端部の支持輪部３が荷物Ｂの底面１０を、支持輪紐８が荷物Ｂの左右端面１４、１６を押圧するため外れにくい構造となっている。これにより、本発明は、二重の掛止部４を荷物の左右下端角部１１、１５に引っ掛ければよいため、簡単に包装することができ、特に折り畳んだダンボール箱を重ね合せて持ち運ぶときには有効である。
また、結合部５は、支持紐２の中央部に設けてあるため、この部位を持つことにより荷物をバランスよく持ち上げることができ、肩に懸けるようにすれば容易に荷物Ｂを持ち運ぶことができる。支持紐２を図にある長さよりも短く設定すれば、手に吊下げて持ち運べるようにすることもできる。
【００１５】
上記構成に加えて、環状の支持紐２の中央部つまり結合部５と、両端部つまり支持輪部３との間の中間部に支持紐２を架け渡す連結紐１７を設ければ、荷物を持ち運ぶ際に、より荷物Ｂを外れにくくすることができる。例えば、図４（Ａ）に示すように、連結紐１７を支持紐２に縫製、接着などにより固着して、バックル１８などで締め付けられるようにし、連結紐１７を荷物Ｂの上面１９に沿うように架け渡せば荷物Ｂの両肩部に連結されるため、外れにくくなる。また、図４（Ｂ）のように、バックル１８を使用せず、１本の連結紐１７の両端を支持紐２に固着して架け渡すようにしてもよく、さらには、破線で示すように、連結紐１７が上面１９ではなく、左右端面１４、１６に沿うようにしてもよい。
【００１６】
結合部５を設けた持ち運び紐１とした場合の他の使用方法を説明する。
図５（Ａ）に示すように、略立方体形状の荷物Ｃの底面２０の略中心に結合部５が位置するように設定し、十字状に支持紐２が結合部５から伸びるようにする。次に、図５（Ｂ）に示すように、各支持紐２を各側面２１の略中心線に沿うように立ち上げる。そして、図５（Ｃ）に示すように、上方に伸びた支持紐２を上面２２の略中心で結び合わせ、上部で輪状になった支持紐２を持ち上げることにより荷物Ｃを持ち運ぶことができる。
この場合、上面２２で支持紐２を結び合わせずに荷物Ｃを持ち運ぶようにしてもよい。
【００１７】
【発明の効果】
本発明は、環状の支持紐の両端部に二重の掛止部を設けた構成とすることにより略直方体形状の荷物の下端角部に支持輪を嵌め合わせ容易に荷物を持ち運ぶことができ、支持紐を結合部で結合することにより略立方体形状の荷物も包装して持ち運ぶことができ、支持紐に連結紐を設ければ、より外れにくく荷物を包装して持ち運ぶことができる持ち運び紐となる。
【図面の簡単な説明】
【図１】本発明の一実施例の持ち運び紐の斜視図である。
【図２】図１の持ち運び紐の掛止部の拡大斜視図である。
【図３】図１の持ち運び紐の一使用方法を示した斜視図である。
【図４】本発明の持ち運び紐に取り付けた連結紐の拡大斜視図である。
【図５】図１の持ち運び紐の他の使用方法を示した斜視図である。
【符号の説明】
１　持ち運び紐
２　支持紐
３　支持輪部
４　掛止部
５　結合部
６　左環部
７　右環部
８　支持輪紐
８ａ、８ｂ　連結点
９　下端角部
１０　底面
１１　左下端角部
１２　表面
１３　裏面
１４　左端面
１５　右下端角部
１６　右端面
１７　連結紐
１８　バックル
１９　上面
２０　底面
２１　側面
２２　上面
【図１】
2004115043.tif 000003
【図２】
2004115043.tif 000004
【図３】
2004115043.tif 000005
【図４】
2004115043.tif 000006
【図５】
2004115043.tif 000007